(57)【要約】【課題】  着用時にダイヤモンド等の宝石をそのテーブル面が正面を向く状態（すなわち、上下方向と略直交する方向を向いた状態）で、動きに応じて宝石が揺動するように支持する構造の身飾品において、宝石をそのテーブル面が正面（外側）を向いた姿勢で安定して支持できる身飾品を提供する。【解決手段】  枠組部材１０に丸カン２５１を固定し、この丸カン２５１に宝石部５に固定された丸カン２１２やその他の部材を係合させる構造にする。係合部は、宝石部５の重心より上である。これにより、宝石をそのテーブル面が正面を向いた姿勢で安定して支持できる。【選択図】  図８
2013163039.tif 000002
【特許請求の範囲】
【請求項１】
装飾物と、
前記装飾物に対して距離を隔てて設けられた枠組部材と、
振動に応じて前記装飾物が揺動するように、前記装飾物の重心に対して上方位置で前記枠組部材と前記装飾物とを係合する係合部と
を有する身飾品であって、
前記係合部は、
前記装飾物の中心に対して上下方向と直交する左右方向の左側に設けられ第１のリング部と、
前記装飾物の中心に対して右側に設けられ第２のリング部と、
前記枠組部材の前記第１のリング部の側に設けられ、前記第１のリング部とつながれた第３のリング部と、
前記枠組部材の前記第２のリング部の側に設けられ、前記第２のリング部とつながれた第４のリング部とを有する
身飾品。
【請求項２】
複数の前記装飾物と、
前記複数の装飾物の各々に対応して設けられ、対応する前記装飾物と前記枠組部材とを揺動可能に係合する複数の前記係合部と
を有し、
前記複数の係合部は、前記枠組部材の上下方向、もしくは左右方向の相互に異なる位置で当該係合部に対応する前記装飾物を支持する
請求項１に記載の身飾品。
【請求項３】
前記複数の係合部は、当該係合部に対応した前記装飾部と当該係合部とが係合する位置から当該装飾物の重心までの上下方向の距離が、相互に異なる
請求項２に記載の身飾品。
【請求項４】
前記第１のリング部と対応する前記第３のリング部、前記第２リング部と対応する前記第４のリング部とは点で接している
請求項１に記載の身飾品。
【請求項５】
前記係合部が、前記装飾物の重心に対して上方位置になるように、前記枠組部材または前記装飾物に重り部を取り付けた
請求項２に記載の身飾品。
【発明の詳細な説明】
【技術分野】
【０００１】
本発明は、宝石を支持する支持部材が揺動する身飾品に関するものである。
【背景技術】
【０００２】
例えば、ダイヤモンド等の宝石を固定した支持部材を揺動可能に支持する指輪等がある。このようにダイヤモンドを揺動させることで、揺動させない場合に比べてダイヤモンドをより輝いて見せることができる。
【０００３】
このような指輪等は、上記揺動を可能にする回転軸を、ダイヤモンドをそのテーブル面（正面）の平面方向における中心付近を通るように設けている。
【発明の開示】
【発明が解決しようとする課題】
【０００４】
ところで、ダイヤモンドを支持したペンダント等で、そのダイヤモンドを揺動させようとした場合に、上述した従来技術をそのまま用いると、ダイヤモンドのテーブル面が正面を向かないという問題がある。
【０００５】
本発明はかかる事情に鑑みてなされたものであり、その目的は、着用時にダイヤモンド等の宝石をそのテーブル面が正面を向く状態（すなわち、上下方向と略直交する方向を向いた状態）で、動きに応じて宝石が揺動するように支持する構造の身飾品において、宝石をそのテーブル面が正面（外側）を向いた姿勢で安定して支持できる身飾品を提供することにある。
【課題を解決するための手段】
【０００６】
上述した従来技術の問題点を解決し、上述した目的を達成するために、本発明の身飾品は、装飾物と、前記装飾物に対して距離を隔てて設けられた枠組部材と、振動に応じて前記装飾物が揺動するように、前記装飾物の重心に対して上方位置で前記枠組部材と前記装飾物とを係合する係合部とを有する身飾品であって、前記係合部は、前記装飾物の中心に対して上下方向と直交する左右方向の左側に設けられ第１のリング部と、前記装飾物の中心に対して右側に設けられ第２のリング部と、前記枠組部材の前記第１のリング部の側に設けられ、前記第１のリング部とつながれた第３のリング部と、前記枠組部材の前記第２のリング部の側に設けられ、前記第２のリング部とつながれた第４のリング部とを有する。
【０００７】
好適には、本発明の身飾品は、複数の前記装飾物と、前記複数の装飾物の各々に対応して設けられ、対応する前記装飾物と前記枠組部材とを揺動可能に係合する複数の前記係合部とを有し、前記複数の係合部は、前記枠組部材の上下方向、もしくは左右方向の相互に異なる位置で当該係合部に対応する前記装飾物を支持する。
【０００８】
好適には、本発明の身飾品は、前記複数の係合部は、当該係合部に対応した前記装飾部と当該係合部とが係合する位置から当該装飾物の重心までの上下方向の距離が、相互に異なる。
【０００９】
好適には、本発明の身飾品は、前記第１のリング部と対応する前記第３のリング部、前記第２リング部と対応する前記第４のリング部とは点で接している。
好適には、本発明の身飾品の前記複数の装飾物は、隣接する前記装飾物が前記揺動の過程で接触し、相互の揺動に影響を及ぼすように構成されている。
【図面の簡単な説明】
【００１０】
【図１】図１は本発明の実施形態のペンダントの正面図である。
【図２】図２は図１に示すペンダントの背面図である。
【図３】図３は、図２に示す回転棒付近の拡大図である。
【図４】図４は、本発明の第２実施形態に係るペンダントを説明するための図である。
【図５】図５は、本発明の第３実施形態に係るペンダントを説明するための図である。
【図６】図６は、本発明の第３実施形態に係るペンダントを説明するための図である。
【図７】図７は、本発明のその他の実施形態を説明するための図である。
【図８】図８は、本発明のその他の実施形態を説明するための図である。
【図９】図９は、本発明のその他の実施形態を説明するための図である。
【図１０】図１０は、本発明のその他の実施形態を説明するための図である。
【図１１】図１１は、本発明のその他の実施形態を説明するための図である。
【図１２】図１２は、本発明のその他の実施形態を説明するための図である。
【図１３】図１３は、本発明のその他の実施形態を説明するための図である。
【発明を実施するための形態】
【００１１】
以下、本発明の身飾品の実施形態を説明する。
＜第１実施形態＞
図１は本発明の実施形態のペンダント１の正面図、図２は図１に示すペンダント１の背面図である。図３は、図２に示す回転棒２４a付近の拡大図である。
【００１２】
図１に示すように、ペンダント１は、枠組部材１０に宝石部５，６，７を揺動可能な状態で直列に配置して支持した構造を有している。
【００１３】
枠組部材１０は、内部に細長い開口部１０ａを備えた形状をしている。
開口部１０ａを形成する左右の内側側面の対向する位置に１対の凹部２６ａ，２６ｂが形成されている。
また、上記内側側面の凹部２６ａ，２６ｂの下方には、凹部２７ａ，２７ｂと、凹部２８ａ，２８ｂとが上下方向に等間隔に形成されている。
本実施形態において、凹部２６ａ，２６ｂ， ２７ａ，２７ｂ，２８ａ，２８ｂは、断面円形の凹部である。
【００１４】
宝石部５は、ダイヤモンド等の宝石１２を支持する支持部材（シャトン）１４を備えている。支持部材１４は、爪２０ａ，２０ｂ，２０ｃ，２０ｄによって宝石１２を保持している。宝石１２が本発明の装飾物本体の一例であり、支持部材１４が本発明の保持部材の一例である。
支持部材１４には、左右方向に突き出た回転棒２４ａ，２４ｂが固定されている。
回転棒２４ａ，２４ｂは、枠組部材１０の開口部１０ａ内において支持部材１４が枠組部材１０と所定の距離を隔てて支持される際に、上述した凹部２６ａ，２６ｂ内に回転可能な状態で挿入される。
回転棒２４ａ，２４ｂの横断面は円形である。
【００１５】
回転棒２４ａ，２４ｂは、支持部材１４の重心に対して上方位置で支持部材１４を支持する。
例えば、回転棒２４ａ，２４ｂは、上下方向において支持部材１４の重心と上側端部との間の中心位置付近で支持部材１４を支持する。
なお、回転棒２４ａ，２４ｂは、上下方向において支持部材１４の重心と上側端部との間の中心位置付近で支持部材１４を支持する。
揺動特性を考慮すると、上下方向において距離をｈとした場合に、回転棒２４ａ，２４ｂの位置は、支持部材１４の重心と上側端部との間の中心位置を中心として、上下方向に３／４ｈの範囲であることが望ましい。
【００１６】
このような位置に回転棒２４ａ，２４ｂを形成することで、ペンダント１がユーザに装着された状態で凹部２６ａ，２６ｂ内で回転棒２４ａ，２４ｂが揺動した場合に、支持部材１４の重心が回転棒２４ａ，２４ｂの位置より下になるため、支持部材１４を保持した宝石部５が半回転することを回避できる。これにより、支持部材１４に支持された宝石部５のテーブル面が常に正面（外側）に向いた姿勢を保つことができ、テーブル面が内側に向いてしまうことを回避でき、デザイン性を高めることができる。
【００１７】
なお、回転棒２４ａ，２４ｂは、支持部材１４と一体的に成形されていてもよい。
また、上述した実施形態では、宝石部５，６，７を上下方向の異なる位置に設けた場合を例示したが、水平方向の異なる位置に設けるようにしてもよい。
【００１８】
＜第２実施形態＞
上述した実施形態では、図３に示すように、枠組部材１０に形成される凹部２６ａ，２６ｂ， ２７ａ，２７ｂ，２８ａ，２８ｂとして、断面円形の凹部を例示した。
本実施形態では、枠組部材１０に形成される凹部として、下面が支持部材１４側に下降したものを用いた場合を例示する。
図４は、本発明の第２実施形態に係るペンダントを説明するための図である。
図４に示すように、枠組部材１０に形成される凹部１２６ａは、その下面１２６ａ１が支持部材１４側に向けて傾斜している。
そのため、回転棒２４ａと枠組部材１０の凹部１２６ａの下面１２６ａ１とは点で接合される。これにより、回転棒２４ａと下面１２６ａ１との間の摩擦力を小さくでき、支持部材１４を揺動しやすくできる。
【００１９】
＜第３実施形態＞
図５は、本発明の第３実施形態に係るペンダントを説明するための図である。
図５に示すように、本発明の第２実施形態に係るペンダントは、リング状の枠組部材１１０内に、宝石部５（ダイヤモンド）を揺動可能に支持した構成を有している。
すなわち、枠組部材１１０の内周面の相互に対向する位置に１対の凹部２２６ａ，２２６ｂが形成されている。
そして、宝石部５の支持部材１１４の回転棒１２４ａ，１２４ｂを、凹部２２６ａ，２２６ｂに揺動可能に挿入している。
【００２０】
本実施形態において、第１実施形態と同様の効果が得られる。
なお、本実施形態においても、第２実施形態で説明したように、凹部２２６ａ，２２６ｂの下面を下降させて構成してもよい。
【００２１】
＜第４実施形態＞
図６は、本発明の第４実施形態に係るペンダントを説明するための図である。
図６に示すように、本発明の第４実施形態に係るペンダントは、開口部を有するハート形状の枠組部材２１０内に、宝石部５を回転軸２２４ａ，２２４ｂを中心に揺動可能に支持した構成を有している。
【００２２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２３】
例えば、図７に示すように、宝石部５，６，７の支持部材１４の回転棒２４ａ，２４ｂの位置を、下方の宝石部になるに従って、重心より上方でより重心に近い位置を通るように構成してもよい。また、上述したように重心に対して上方ではなく、左右位置の相互に異なる位置で支持してもよい。
これにより、宝石部５，６，７の揺動のパターンを微妙にずらすことができ、新たな美観を生じさせることができる。
【００２４】
また、上述した実施形態では、枠組部材内に３つあるいは１つの宝石部を支持した場合を例示したが、２つあるいは４つ以上の宝石部を支持するようにしてもよい。
また、枠組部材の形状は閉じた開口部を備えた形状以外でもよい。
また、上述した実施形態では、宝石部５，６，７としてダイヤモンドを例示したが、ダイヤモンド以外の宝石等の装飾物でもよい。
さらに、上述した実施形態では、身飾品の一例としてペンダントを例示したが、ペンダント以外の身飾品についても本発明は適用可能である。
【００２５】
また、上述したように回転軸の代わりに、丸カンを使用して、枠組部材と繋ぐ構造にしてもよい。
例えば、図８に示すように、枠組部材１０に丸カン２５１を固定し、この丸カン２５１に宝石部５に固定された丸カン２１２やその他の部材を係合させる構造にしてもよい。
さらに、上述した枠組部材の凹部は、丸カンに対応した環状部材を用いてもよい。
【００２６】
また、図９に示すように、リング状の枠組部材４１０の裏面に丸カン４１４をロウ等で固定し、この丸カン４１４に宝石部５の丸カン４１６を取り付ける構造にしてもよい。
丸カン４１４は、例えば、裏面に直立して固定されている。この場合においても、丸カン４１６は、宝石部５の重心の上方位置に位置している。
また、図１０に示すように、枠組部材５１０の裏面に丸カン５１６をロウ等で固定し、この丸カン５１６に宝石部５の回転棒５１４を揺動可能に挿入する構造にしてもよい。この場合においても、丸カン５１６は、宝石部５の重心の上方位置に位置している。
【００２７】
また、図１１〜図１３に示すように、枠組部材６１０の重心に対して上方位置で、支持軸（回転軸）または丸カン（支持環）が宝石部５を支持するように、支持部材６１２や宝石部５に重り部６５０を取り付けてもよい。
図１１は側面図、図１２は背面図、図１３は正面図である。
また、重りを取り付けるのではなく、枠組部材の重心に対して上方位置で、支持軸（回転軸）または丸カン（支持中空部材）で宝石部を支持するように、支持部材や宝石部の形状や重量バランスを決定するようにしてもよい。
また、本発明の支持中空部材および係合部は、丸カン以外の形状でもよい。
【００２８】
本実施形態において、第１実施形態と同様の効果が得られる。
なお、本実施形態においても、第２実施形態で説明したように、凹部２２６ａ，２２６ｂの下面を下降させて構成してもよい。
また、上述した実施形態では、本発明の装飾物の一例として、ダイヤモンドを用いた場合を例示したが、それら以外の装飾物を用いてもよい。
また、上述したように上下方向あるいは左右方向に複数の宝石部を配置する場合において、隣接する宝石部が接触して相互に揺動動作に影響を及ぼすように構成してもよい。
【産業上の利用可能性】
【００２９】
本発明は、宝石を支持する支持部材が揺動する身飾品に適用可能である。
【符号の説明】
【００３０】
１…ペンダント
５，６，７…宝石部
１０，１１０，２１０…枠組部材
１２…宝石（ダイヤモンド）
１４…支持部材
２０ａ，２０ｂ，２０ｃ，２０ｄ…爪
２４ａ，２４ｂ，１２４ａ，１２４ｂ，２２４ａ，２２４ｂ…回転棒
２６ａ，２６ｂ， ２７ａ，２７ｂ，２８ａ，２８ｂ，２２６ａ，２２６ｂ…凹部
【図１】
2013163039.tif 000003
【図２】
2013163039.tif 000004
【図３】
2013163039.tif 000005
【図４】
2013163039.tif 000006
【図５】
2013163039.tif 000007
【図６】
2013163039.tif 000008
【図７】
2013163039.tif 000009
【図８】
2013163039.tif 000010
【図９】
2013163039.tif 000011
【図１０】
2013163039.tif 000012
【図１１】
2013163039.tif 000013
【図１２】
2013163039.tif 000014
【図１３】
2013163039.tif 000015